(57)【要約】【課題】テントの支柱を提供する。【解決手段】主に柱棒、頂部サポート棒、該相互に隣り合った２本の柱棒をサポートする側サポート棒、該頂部サポート棒をサポートする中サポート棒及び該柱棒上にスライド嵌合する滑動台を含む。該各頂部サポート棒は１本の中サポート棒によりサポートし、該中サポート棒の上端は該頂部サポート棒上に接続し、下端は該側サポート棒上に接続し、しかも該滑動台の一端に接近する。こうして支柱のサポートは堅固となり、しかも折畳が容易となる。【選択図】図４
0003131143.tif 000002
【実用新案登録請求の範囲】
【請求項１】
主に柱棒、頂部サポート棒、該相互に隣り合った２本の柱棒をサポートする側サポート棒、該頂部サポート棒をサポートする中サポート棒及び該柱棒上にスライド嵌合する滑動台を含み、該各頂部サポート棒は１本の中サポート棒によりサポートし、該中サポート棒の上端は該頂部サポート棒上に接続し、下端は該側サポート棒上に接続し、しかも該滑動台の一端に接近することを特徴とするテントの支柱。
【請求項２】
前記対角線上に位置する２本の中サポート棒上端は、共に前記対応する頂部サポート棒上に接続し、下端はそれぞれ前記頂部サポート棒両サイドに向かい傾斜し、前記対応する側サポート棒上に接続し、しかも前記滑動台の一端に接近することを特徴とする請求項１記載のテントの支柱。
【請求項３】
前記側サポート棒上には連接台を設置し、前記中サポート棒下端は該連接台上に接続することを特徴とする請求項１記載のテントの支柱。
【請求項４】
前記中サポート棒下端は、前記側サポート棒末端の滑動台側辺上に接続することを特徴とする請求項１記載のテントの支柱。
【考案の詳細な説明】
【技術分野】
【０００１】
本考案は、テントの支柱に関する。
【背景技術】
【０００２】
公知の折畳み式テントの支柱構造は、図1、2に示すように、４本の柱棒1´及び４本の頂部サポート棒2´を含む。該各相互に隣り合った２本の柱棒1´間には、側サポート棒3´、3″を設置する。図1に示すように、該側サポート棒3´は、直接相互に隣り合った２本の柱棒1´によりサポートし、該側サポート棒3´の一端は、該柱棒1´頂端の固定台7´上に接続する。反対端は、該柱棒1´上に嵌合する滑動台5´側辺に接続し（図3参照）、或いは図2に示すように、該側サポート棒3″間には、さらに交差サポート棒組6を設置する（この構造は大型テントに適用）。また別に、中サポート棒4´は、該頂部サポート棒2´によりサポートし、該中サポート棒4´の上端は、該頂部サポート棒2´上に接続し、下端は該柱棒1´上に嵌合する滑動台5´対角線上に接続する（図3参照）。こうして、該側サポート棒3´或いは3″と該中サポート棒4´は、それぞれ該滑動台5´側辺と対角線上に接続する。しかし、上記テントの支柱には以下のような欠点が存在する。
1、該中サポート棒4´は、該頂部サポート棒2´と該柱棒1´間に形成する平面内に位置するため、展開及び折畳み時には、該中サポート棒4´は、平面内においてのみ引いてサポートする作用を生じ、該頂部サポート棒2´の横方向に対しては作用力を生じることはできない。そのため、展開後は、テント支柱の全体的サポートは理想的ではなく、特に大型テントにとってはそのサポートは不安定である。なぜなら大型テントが引き受ける重量は大きく、該頂部サポート棒2´が該中サポート棒4´に対して加える単一平面内の下圧力も大きいため、しばしば該中サポート棒4´は左右に揺れ、安定性に欠ける。
2、折畳み時の動作原理から言えば、該頂部サポート棒2´は中央位置にあるため、折畳む時、使用者の力はすべて該側サポート棒3´或いは3″上に作用する。そのため、その折畳み過程では、該側サポート棒3´或いは3″が該滑動台5´を連動し、次に、該滑動台5´は該中サポート棒4´を引き動かし、中サポート棒4´はさらに該頂部サポート棒2´を連動し、折畳み動作を完成する。このような折畳み過程において、該滑動台5´の受ける力は大きいため、該滑動台5´は比較的高い強度を具えた材質で製造する必要があり、コストが高くなってしまう。また、折畳み時、最後に該頂部サポート棒2´上に作用する折畳み力は小さいため、折畳みに不利である。
【考案の開示】
【考案が解決しようとする課題】
【０００３】
本考案は、上記構造の問題点を解決したテントの支柱を提供するものである。
【課題を解決するための手段】
【０００４】
上記課題を解決するため、本考案は、下記のテントの支柱を提供する。それは、主にテントの支柱を提供し、そのサポートは堅固となり、しかも折畳みが容易となり、すなわちそれは、柱棒、頂部サポート棒、該相互に隣り合った２本の柱棒をサポートする側サポート棒、該頂部サポート棒をサポートする中サポート棒及び該柱棒上にスライド嵌合する滑動台を含み、該各頂部サポート棒は１本の中サポート棒によりサポートし、該中サポート棒の上端は該頂部サポート棒上に接続し、下端は該側サポート棒上に接続し、しかも、該滑動台の一端に接近し、該対角線上に位置する２本の中サポート棒の上端は、対応する頂部サポート棒上に接続し、下端は、それぞれ頂部サポート棒の両サイドに向かい傾斜し、該対応する側サポート棒上に接続し、しかも該滑動台の一端に接近し、該側サポート棒上には連接台を設置し、該中サポート棒下端は該連接台上に接続し、該中サポート棒下端は、該側サポート棒末端の滑動台側辺上に接続することを特徴とするテントの支柱である。
【考案の効果】
【０００５】
上記のように、本考案の中サポート棒下端は、対応する側サポート棒上に接続し、中サポート棒と頂部サポート棒、柱棒は、異なる平面内に位置し、展開及び折畳み時に、該中サポート棒は、該頂部サポート棒と該柱棒が位置する平面内において引いてサポートする作用を生じ、しかも、該頂部サポート棒に対して横方向の作用力を生じるため、テントの支柱が展開後は、全体的サポートは、非常に堅固となり、グラグラすることはなく、特に大型テントにとってはそのサポートは一層安定的となる。また、本考案は、折畳み時、該側サポート棒は直接該中サポート棒を引き動かし内側に向けて折畳むため、該滑動台を通過する必要はなくなるため、該滑動台が受ける力は相対的に小さくなり、しかも、該中サポート棒に作用する引力も相対的に大きくなり、折畳みは一層容易になり、同時に、該滑動台の材質に対する要求も低くなり、コスト低下を実現可能である。
【考案を実施するための最良の形態】
【０００６】
図4に示すように、本考案と公知の技術は、同様に主に柱棒1、頂部サポート棒2、該相互に隣り合った２本の柱棒1をサポートする側サポート棒3、該頂部サポート棒2をサポートする中サポート棒4及び該柱棒1上にスライド嵌入する滑動台5を含む。該側サポート棒3は、図1に示すように、相互に隣り合った２本の柱棒1を直接サポートし、該側サポート棒3の一端は、該柱棒1頂端の固定台7上に接続する。一方、反対端は、該柱棒1上に嵌入する滑動台5側辺に接続し（図3、5、6参照）、或いは図2、4に示すように、該側サポート棒3間にはさらに交差サポート棒組6（大型テントに適用）を設置し、該中サポート棒4の上端は、該頂部サポート棒2上に接続する。本考案の各頂部サポート棒2は、１本の中サポート棒4によりサポートし、該中サポート棒4の下端は、該側サポート棒3上に接続し、しかも該滑動台5の一端に接近する。
【０００７】
次に、図4に示すように、該各中サポート棒4の上端は、やはり対応する頂部サポート棒2上に接続し、対角線上に位置する２本の中サポート棒4下端は、それぞれ該頂部サポート棒2の両サイドに向かって傾斜し、対応する側サポート棒3上に接続し、しかも、該滑動台5の一端に接近する。こうして、２組のサポート棒4は、それぞれ該頂部サポート棒2の両側に対して作用力を生じ、テント全体の支柱は展開後に非常に安定し、グラグラすることはない。
【０００８】
本考案は、接続を一層スムーズにするため、図5に示すように、該側サポート棒3上にそれぞれ連接台8を設置し、該中サポート棒4の下端は、該連接台8上に接続する。さらに図6に示すように、先ず該中サポート棒4の下端を該連接台8上に接続し、次に、該連接台8を該側サポート棒3末端の滑動台5側辺上に接続する。或いは、直接該側サポート棒3末端の滑動台5側辺上（図示なし）に接続する。こうして、本考案を折畳む時、該側サポート棒3は、直接該中サポート棒4を内側に向けて折畳むため、該滑動台5を通過する必要がない。よって、該滑動台5が受ける力は、相対的に小さくなり、しかも該中サポート棒4に作用する引力は相対的に大きくなり、折畳みは一層容易になる。
【図面の簡単な説明】
【０００９】
【図１】公知のテントの支柱の全体構造指示図である。
【図２】公知のテントの支柱の全体構造指示図である。
【図３】公知のテントの支柱中の滑動台構造の局部拡大図である。
【図４】本考案実施例の全体構造指示図である。
【図５】本考案の中サポート棒と側サポート棒の接続方式一の局部拡大図である。
【図６】本考案の中サポート棒と側サポート棒の接続方式二の局部拡大図である。
【符号の説明】
【００１０】
1´  柱棒
2´  頂部サポート棒
3´  側サポート棒
3″  側サポート棒
4´  中サポート棒
5´  滑動台
6´  交差サポート棒組
7´  固定台
１    柱棒
２    頂部サポート棒
３    側サポート棒
４    中サポート棒
５    滑動台
６    交差サポート棒組
７    固定台
８    連接台
【図１】
0003131143.tif 000003
【図２】
0003131143.tif 000004
【図３】
0003131143.tif 000005
【図４】
0003131143.tif 000006
【図５】
0003131143.tif 000007
【図６】
0003131143.tif 000008